(57)【要約】 【課題】  表示される色彩を入れ替わり変化させて遊技の興趣を高めることができる遊技機の電飾装置を提供する。【解決手段】  光源ランプ１と、複数色の着色部２１が形成された回転円板からなる第１導光板２と、第１導光板２から受入れた光を放射する発光体である皿状基板３とにより電飾装置を構成したうえに、第１導光板２をその着色部２１が光源ランプ１の前を横切って移動可能に支承する。さらに、皿状基板３には受光部３２から入射した光の進行方向を変化させて発光部３３より出射する光通路３７を設けて、光源ランプ１から位置をずらした発光部３３にて複数の色彩を入れ替わり発光表示する。【選択図】    図５
2005066179.tif 000002
【特許請求の範囲】
【請求項１】
光源ランプと、複数色の着色部が形成された第１導光板と、第１導光板から受入れた光を放射する発光体とからなり、第１導光板をその着色部が光源ランプの前を横切って移動可能に支承するとともに、発光体には受光部から入射した光の進行方向を変化させて発光部より出射する光通路を設けて、光源ランプから位置をずらした発光部にて複数の色彩を入れ替わり発光表示するようにしたことを特徴とする遊技機の電飾装置。
【請求項２】
発光体を皿状基板として、該皿状基板の底部裏面に受光部を設け、皿状基板の前側外周縁に発光部を設けて、受光部と発光部との間を光通路で連通した請求項１に記載の遊技機の電飾装置。
【請求項３】
受光部と発光部を除く発光体の表面には、光の漏洩を防止する光反射層が形成されている請求項１または２に記載の遊技機の電飾装置。
【請求項４】
第１導光板を回転円板とした請求項１〜３の何れかに記載の遊技機の電飾装置。
【請求項５】
皿状基板の底部に光の通過窓を設けたうえ、皿状基板の底部に第２導光板を配置して、第１導光板からの光を第２導光板にても発光表示するようにした請求項２〜４の何れかに記載の遊技機の電飾装置。
【請求項６】
複数の光源ランプを等間隔をおいて環状にプリント基板に配置するとともに、この光源ランプに対応して複数の受光部を設けた請求項１〜５の何れかに記載の遊技機の電飾装置。
【請求項７】
第１導光板をモータの回転軸に枢着した請求項４〜６の何れかに記載の遊技機の電飾装置。  
【請求項８】
第１導光板を遊技盤の風車の回転軸に枢着して、第１導光板が風車とともに回転されるようにした請求項４〜６の何れかに記載の遊技機の電飾装置。
【発明の詳細な説明】
【技術分野】
【０００１】
本発明は、パチンコ機やスロットマシンなどの遊技機の遊技盤や前面枠に取り付けられて遊興効果を高めることができる遊技機の電飾装置に関するものである。
【背景技術】
【０００２】
遊技機の遊技盤面や前面枠には、遊技の状態に対応して点灯或いは点滅したりして遊技の興趣を盛り上げる電飾装置が取り付けられている。このような電飾装置として、例えば特開２００２−３０１２０６号公報には、光源ランプと、光源ランプの上を覆うカバー部材とからなり、前記カバー部材は所定の図柄が描かれた図柄層を表面側に有して、透明樹脂材料の成形により構成されている発光飾り装置が開示されている。しかし、このような電飾装置においては、遊技者から見た場合に電飾装置の所定の位置には所定の色しか発色されず色彩変化に乏しく、したがって遊技の興趣を十分高めることができないという問題があった。
【特許文献１】特開２００２−３０１２０６号公報  (図３)
【発明の開示】
【発明が解決しようとする課題】
【０００３】
本発明は上記した従来の問題点を解決して、表示される色彩を流れるように変化させて遊技の興趣を大きく高めることができる遊技機の電飾装置を提供するためになされたものである。
【課題を解決するための手段】
【０００４】
上記の課題を解決するためになされた本発明の遊技機の電飾装置は、光源ランプと、複数色の着色部が形成された第１導光板と、第１導光板から受入れた光を放射する発光体とからなり、第１導光板をその着色部が光源ランプの前を横切って移動可能に支承するとともに、発光体には受光部から入射した光の進行方向を変化させて発光部より出射する光通路を設けて、光源ランプから位置をずらした発光部にて複数の色彩を入れ替わり発光表示するようにしたことを特徴とするものである。
【０００５】
なお、上記した遊技機の電飾装置において、発光体を皿状基板として、該皿状基板の底部裏面に受光部を設け、皿状基板の前側外周縁に発光部を設けて、受光部と発光部との間を光通路で連通することができ、受光部と発光部を除く発光体の表面には、光の漏洩を防止する光反射層を形成するのが望ましい。
また、第１導光板を回転円板とすることができ、皿状基板の底部に光の通過窓を設けたうえ、皿状基板の底部に第２導光板を配置して、第１導光板からの光を第２導光板にても発光表示するようにすることもでき、複数の光源ランプを等間隔をおいて環状にプリント基板に配置するとともに、この光源ランプに対応して複数の受光部を設けることもできる。さらに、第１導光板をモータの回転軸に枢着してもよく、また、第１導光板を遊技盤の風車の回転軸に枢着して、第１導光板が風車とともに回転されるようにすることもできる。
【発明の効果】
【０００６】
本発明の遊技機の電飾装置は、光源ランプと、複数色の着色部が形成された第１導光板と、第１導光板から受入れた光を放射する発光体とからなるものとして、第１導光板をその着色部が光源ランプの前を横切って移動するように支承したので、複数の色彩を発光部にて入れ替わり発光表示することができて、光源自体の色彩を変化させる必要がない。また、前記発光体には、受光部から入射した光の進行方向を変化させて発光部より出射可能な光通路を設けたので、光源ランプの位置に関係なく任意の位置にて光を発光表示することができる。
【０００７】
そして、発光体を皿状基板として、該皿状基板の底部裏面に受光部を設け、皿状基板の前側外周縁に発光部を設けて、受光部と発光部との間を光通路で連通することにより、電飾装置の構造を簡素化することができ、受光部と発光部を除く発光体の表面に光反射層を形成することによって、光を洩らすことなく進行方向を変化させて光を伝達することができる。また、第１導光板を回転円板としても電飾装置の構造を簡単化することができる。
【０００８】
さらに、皿状基板の底部に光の通過窓を設けたうえ、皿状基板の底部に第２導光板を配置して、第１導光板からの光を第２導光板にても放射することによって、装飾効果をより高めることができる。また、複数の光源ランプを等間隔をおいて環状にプリント基板に配置するとともに、この光源ランプに対応して複数の受光部を設けることによって、装飾効果をより高めることができ、第１導光板をモータの回転軸に枢着することにより、第１導光板を回転させることができ、第１導光板を遊技盤の風車の回転軸に枢着することにより、モータを必要とせず第１導光板を風車とともに回転させることができる。
【発明を実施するための最良の形態】
【０００９】
以下に図面を参照しつつ本発明の好ましい実施形態を説明する。
図１〜５は本発明に係る遊技機の電飾装置を示す図であって、１はＬＥＤである光源ランプ、２は第１導光板、３は発光体である透明樹脂製の皿状基板であり、その内側には図２に示すように第２導光板４が嵌め込まれている。
【００１０】
光源ランプ１は、図３に示すように、プリント基板１１に環状に等間隔をおいて３つ配置されており、前方の第１導光板２に向けて光を放つ。第１導光板２は、円板状のものであって、モータ５の回転軸５１に枢着されていてモータ５により回転される。皿状基板３は支柱４１によりプリント基板１１に螺着されているが、皿状基板３の底部で光源ランプ１の前方に位置する部位には第１導光板２を透過した光が入射する受光部３２が底部から突出して形成されている。受光部３２は、３つの光源ランプ１に対応して環状に等間隔を置いて配置されている。
【００１１】
一方、皿状基板３の前側外周縁には環状の発光部３３が設けられている。そして、図５に示すように、受光部３２と発光部３３を除く皿状基板３の表面には銀色の光反射層３４が形成されていて、受光部３２と発光部３３の間は光通路３７となしてある。また、光通路３７の屈曲部には光を反射するための傾斜面３５が設けてあるので、光通路３７は光を漏洩することなく効率的に通過させることができる。したがって、受光部３２にて取り込んだ光を光通路３７を通過させて、光源ランプ１から位置をずらした発光部３３にて放射することができる。
【００１２】
また、皿状基板３の底部には、第１導光板２からの光を第２導光板４に通過させる通過窓３１が形成されている。通過窓３１は、図４に示すように、皿状基板３の底部に三つ又状に形成されており、第２導光板４を第１導光板２側に向けて露出させている。なお、前記した支柱４１は第２導光板４の裏面に突設されて通過窓３２からプリント基板１１の方向に延出されている。
【００１３】
複数の色彩の表示構造を図５により説明する。
第１導光板２の表面には、３色の色彩、例えば赤、青、緑の透明着色部２１が中心から１２０°の領域に渡って交互に形成されている。この透明着色部２１はモータ５の駆動により光源ランプ１の前を横切って移動するので、３色の色彩が入れ替わり前方に発光される。それぞれの光源ランプ１の前には異なる色彩が位置することになるので、３つの光源ランプ１により常に異なる色彩の光が発せられる。
【００１４】
色彩光は受光部３２に入射し光通路３７を経て発光部３３より放射されるが、第１導光板２が回転されることによって、３色の色彩が入れ替わりそれぞれの受光部３２に入射するので、発光部３３にて３色の色彩を入れ替わり発光表示することができる。
また、皿状基板３には通過窓３１が形成されており、第１導光板２を透過した光により異なる色彩が第２導光板４の３つの領域に発光表示される。したがって、発光部３３と第２導光板４とでもって遊技盤面をきらびやかに装飾することができる。大当りの発生など遊技の状態に応じて光源ランプ１の点灯、第１導光板２の回転を行うことによって遊技の興趣を大きく高めることができる。
なお、回転円板に代えて第１導光板２を左右或いは上下に往復移動する板材としても色彩を入れ替わり発光させることができる。
【００１５】
図６に第２の実施形態の遊技機の電飾装置を示す。この電飾装置は第１導光板２の回転軸５２にパチンコ機遊技盤の風車７が取り付けられている。風車７の底面は光の透過が可能な透明樹脂により形成してある。したがって、風車がパチンコ球の衝突により回転されることによって第１導光板２が回転されるので、モータなどの駆動源を用いずとも第２導光板４及び発光部３３にて複数の色彩を入れ替わり発光表示することができる。
【００１６】
以上に説明したように、本発明の電飾装置は、表示される色彩を入れ替わり変化させ、且つ、光源の位置に関係なく任意の位置にて発光表示することができるという大きな利点を有する。
【図面の簡単な説明】
【００１７】
【図１】第１の実施形態の電飾装置の正面図である。
【図２】第１の実施形態の電飾装置の平面図である。
【図３】プリント基板の平面図である。
【図４】皿状基板の底面図である。
【図５】電飾装置の要部断面図である。
【図６】第２の実施形態の電飾装置の正面図である。
【符号の説明】
【００１８】
１  光源ランプ
２  第１導光板
３  皿状基板
４  第２導光板
３１  通過窓
３２  受光部
３３  発光部
３７  光通路
【図１】
2005066179.tif 000003
【図２】
2005066179.tif 000004
【図３】
2005066179.tif 000005
【図４】
2005066179.tif 000006
【図５】
2005066179.tif 000007
【図６】
2005066179.tif 000008